(57)【要約】【課題】パーム油を精製する過程で発生するパーム脂肪酸留出物（ＰＦＡＤ）をそのままバイオディーゼル燃料として用いることができる新規なバイオディーゼル発電装置の提供。【解決手段】ディーゼルエンジンの動力で発電する発電機１０と、この発電機１０にＰＦＡＤを供給する燃料供給部２０とを備え、前記燃料供給部２０は、ＰＦＡＤを溜める原料タンク２１と、原料タンク２１から抜き出したＰＦＡＤを加温してその動粘度を低くする第１および第２のストレージタンク２２，２３と、ＰＦＡＤを濾過する燃料フィルターＦとを備える。これによって、パーム油を精製する過程で発生する高粘性のＰＦＡＤを特別な処理を行うことなくそのままバイオディーゼル燃料として用いることができる。【選択図】図１
2016169616.tif 000002
【特許請求の範囲】
【請求項１】
パーム脂肪酸留出物をバイオディーゼル燃料として用いるバイオディーゼル発電装置であって、
ディーゼルエンジンの動力で発電する発電機と、前記発電機に前記バイオディーゼル燃料を供給する燃料供給部とを備え、
前記燃料供給部は、
前記パーム脂肪酸留出物を溜める原料タンクと、
前記原料タンクから第１供給ラインを介して抜き出した前記パーム脂肪酸留出物を加温してその動粘度を常温よりも低く調整する第１のストレージタンクと、
前記第１のストレージタンクから第２供給ラインを介して抜き出した前記パーム脂肪酸留出物をさらに加温してその動粘度を１５．０mm２／ｓ以下に調整する第２のストレージタンクと、
前記第２の供給ラインを通過するパーム脂肪酸留出物を濾過する燃料フィルターと、
前記第２のストレージタンク内のパーム脂肪酸留出物を加温してその動粘度を１５．０mm２／ｓ以下に維持しつつ前記ディーゼルエンジンに供給する第３供給ラインと、を有することを特徴とするバイオディーゼル発電装置。
【請求項２】
請求項１に記載のバイオディーゼル発電装置において、
前記発電機のディーゼルエンジンの排熱を回収する第１の熱交換器と、
前記原料タンク内に排熱する第２の熱交換器と、
前記第１および第２の熱交換器間で熱媒体を循環させる循環ラインと、をさらに有することを特徴とするバイオディーゼル発電装置。
【請求項３】
請求項１または２に記載のバイオディーゼル発電装置において、
前記原料タンク、第１および第２のストレージタンクのいずれかまたは全てに、酸化防止剤を添加する酸化防止剤添加部を備えたことを特徴とするバイオディーゼル発電装置。
【請求項４】
請求項１乃至３のいずれかに記載のバイオディーゼル発電装置において、
前記原料タンクの給油ラインにバグフィルターを設けたことを特徴とするバイオディーゼル発電装置。  
【請求項５】
請求項４に記載のバイオディーゼル発電装置において、
前記バグフィルターを複数並列に設け、各バグフィルターを切り換えて用いることを特徴とするバイオディーゼル発電装置。
【発明の詳細な説明】
【技術分野】
【０００１】
本発明は、バイオディーゼル燃料を用いて発電を行う装置に係り、特にバイオディーゼル燃料としてパーム脂肪酸留出物（ＰＦＡＤ：Palm Fatty Acid Distillate）を用いることを可能としたバイオディーゼル発電装置に関する。
【背景技術】
【０００２】
バイオディーゼル燃料は、植物油にメタノールを加えエステル交換反応によってグリセリンを取り除いて燃料化したものであり、軽油の代替燃料として主にディーゼルエンジンに使用されている。良質のバイオディーゼル燃料は、ＣＯ２削減効果だけでなく、硫黄などの大気汚染物質が少ないクリーンな燃料であり、しかも軽油と同等の燃費やエンジン性能を発揮できることが知られている。
【０００３】
一方、アブラヤシから得られるパーム油は、食用油やマーガリン、ショートニング、石鹸の原料として利用される他に、近年では、バイオディーゼル燃料としての利用も進められている。バイオディーゼル燃料として利用する場合には、通常の植物油と同様に、メチルエステル化などの化学処理を施してグリセリンを取り除き、脂肪酸メチルエステルなどの軽油に近い物性に変換したものが用いられる。
【０００４】
しかし、通常のパーム油からバイオディーゼル燃料を製造するとコストが高くなる上にパーム油をバイオディーゼル燃料として大量に消費することは自然環境の破壊を招くといった懸念がある。そのため、例えば以下の特許文献１では通常の精製パーム油ではなく、パーム油を絞った際に生じる絞り粕としての廃液（パーム廃液）を燃料として利用する方法が提案されている。
【０００５】
また、以下の特許文献２乃至４では、パーム油の精製過程で不可避的に発生する副産物であるパーム脂肪酸留出物（ＰＦＡＤ：Palm Fatty Acid Distillate）を用いることが提案されている。このＰＦＡＤは、粗製ＣＰＯ（Crude palm oil）を精製する際に抽出されると共に、粗製ＫＰＯ（Crude palm Kernel oil）を精製する際にスラッジやパーム廃液と共に抽出されるが、食用には適さないため一部が飼料などとして利用される他はその殆どが廃棄処分されている。  
【先行技術文献】
【特許文献】
【０００６】
【特許文献１】特開２０１２−２５０２２５号公報
【特許文献２】特開２００４−３５９７６６号公報
【特許文献３】特表２００９−５１３７７１号公報
【特許文献４】ＷＯ２００４／０９７９２０号公報
【発明の概要】
【発明が解決しようとする課題】
【０００７】
ところで、パーム廃液やＰＦＡＤは精製パーム油と比べてその粘性（動粘度）が高いため、これをバイオディーゼル燃料として処理するには、粘性成分を除去して低流動化（低動粘度化）させる処理が必要となる。しかし、これらを燃料として低流動化させるのは容易でなく、しかもその処理コストが高くつくため、バイオディーゼル燃料として利用するには経済的に採算が合わないといった問題がある。
【０００８】
そこで、本発明はこれらの課題を解決するために案出されたものであり、その目的はパーム油を精製する過程で発生するパーム脂肪酸留出物（ＰＦＡＤ）をそのままバイオディーゼル燃料として用いることができる新規なバイオディーゼル発電装置を提供するものである。
【課題を解決するための手段】
【０００９】
前記目的を達成するために第１の発明は、パーム脂肪酸留出物をバイオディーゼル燃料として用いるバイオディーゼル発電装置であって、ディーゼルエンジンの動力で発電する発電機と、前記発電機に前記バイオディーゼル燃料を供給する燃料供給部とを備え、前記燃料供給部は、前記パーム脂肪酸留出物を溜める原料タンクと、前記原料タンクから第１供給ラインを介して抜き出した前記パーム脂肪酸留出物を加温してその動粘度を常温よりも低く調整する第１のストレージタンクと、前記第１のストレージタンクから第２供給ラインを介して抜き出した前記パーム脂肪酸留出物をさらに加温してその動粘度を１５．０mm２／ｓ以下に調整する第２のストレージタンクと、前記第２の供給ラインを通過するパーム脂肪酸留出物を濾過する燃料フィルターと、前記第２のストレージタンク内のパーム脂肪酸留出物を加温してその動粘度を１５．０mm２／ｓ以下に維持しつつ前記ディーゼルエンジンに供給する第３供給ラインと、を有することを特徴とするバイオディーゼル発電装置である。
【００１０】
このような構成によれば、高粘性のパーム脂肪酸留出物（ＰＦＡＤ）を一旦常温で原料タンクに溜めておき、ここから第１供給ラインを介して適宜第１のストレージタンクに抜き出して加温することでその動粘度を常温よりも低くする。次に、この第１のストレージタンクから第２供給ラインを介して第２のストレージタンクに抜き出す際に燃料フィルターを通過させることで水分や細かい固形物を除去する。その後、第２のストレージタンクでさらに高温に加温されることでその動粘度を１５．０mm２／ｓ以下にして第３供給ラインから発電機に供給してそのディーゼルエンジンの燃料として用いる。これにより、パーム油を精製する過程で発生する高粘性のＰＦＡＤを特別な処理を行うことなくそのままバイオディーゼル燃料として用いることができる。
【００１１】
第２の発明は、第１の発明において、前記発電機のディーゼルエンジンの排熱を回収する第１の熱交換器と、前記原料タンク内に排熱する第２の熱交換器と、前記第１および第２の熱交換器間で熱媒体を循環させる循環ラインと、をさらに有することを特徴とするバイオディーゼル発電装置である。
【００１２】
このような構成によれば、パーム脂肪酸留出物（ＰＦＡＤ）を燃焼させて発生した排熱を回収して原料タンク内のＰＦＡＤを昇温できるため、エンジン排熱の有効利用とＰＦＡＤを加熱するための熱エネルギーを節約できる。
【００１３】
第３の発明は、第１または第２の発明において、前記原料タンク、第１および第２のストレージタンクのいずれかまたは全てに、酸化防止剤を添加する酸化防止剤添加部を備えたことを特徴とするバイオディーゼル発電装置である。このような構成によれば、各タンクに溜められているパーム脂肪酸留出物（ＰＦＡＤ）に対して適宜酸化防止剤を添加できるため、酸化安定性が向上し、酸化による品質劣化を防止できる。
【００１４】
第４の発明は、第１乃至第３の発明において、前記原料タンクの給油ラインにバグフィルターを設けたことを特徴とするバイオディーゼル発電装置である。このような構成によれば、ＰＦＡＤに含まれている繊維などの固形不純物の大部分がバグフィルターで予め除去されるため、燃料フィルターの交換頻度を低く抑えることができる。
【００１５】
第５の発明は、第４の発明において、前記バグフィルターを複数並列に設け、各バグフィルターを切り換えて用いることを特徴とするバイオディーゼル発電装置である。このような構成によれば、給油前のＰＦＡＤに多量の固形不純物が含まれていていずれかのバグフィルターが目詰まりを起こしても作業を中断することなく、連続給油が可能となる。
【発明の効果】
【００１６】
本発明のバイオディーゼル発電装置によれば、パーム油を精製する過程で発生する高粘性のパーム脂肪酸留出物（ＰＦＡＤ）を特別な処理を行うことなく、そのままバイオディーゼル燃料として用いることができる。
【図面の簡単な説明】
【００１７】
【図１】本発明に係るバイオディーゼル発電装置１００の実施の一形態を示す全体構成図である。
【図２】パーム油の精製工程の流れを示すフローチャートズである。
【図３】パーム脂肪酸留出物（ＰＦＡＤ）の温度と動粘度との関係を示すグラフ図である。
【図４】本発明に係るバイオディーゼル発電装置１００の原料タンク付近の構成を示す説明図である。
【発明を実施するための形態】
【００１８】
以下、本発明の実施の形態を添付図面を参照しながら説明する。図１は本発明に係るバイオディーゼル発電装置１００の実施の一形態を示したものである。図示するように、このバイオディーゼル発電装置１００は、ディーゼルエンジンの動力で発電する発電機１０と、この発電機１０にバイオディーゼル燃料としてパーム脂肪酸留出物（ＰＦＡＤ）を供給する燃料供給部２０と、これらを制御する制御部３０とから主に構成されている。
【００１９】
発電機１０は、図示しないディーゼルエンジンとこのディーゼルエンジンの出力軸に連結された発電機とが一体化されたものであり、従来公知のものをそのまま適用することができる。特に、コモンレール式燃料噴射システムのディーゼルエンジンを用いたものであれば、排ガスのクリーン化、騒音・振動の低減、出力の向上が図れるため、望ましい。この発電機１０には、給油口１１と出口１２が形成されており、運転時にはエンジンに内蔵された燃料ポンプによって給油口１１から常に一定の燃料が供給されると共に、余剰の燃料が出口１２から排出されるようになっている。
【００２０】
燃料供給部２０は、原料タンク２１と、第１のストレージタンク２２と、第２のストレージタンク２３を有し、原料タンク２１と第１のストレージタンク２２は、第１の供給ライン２１Ｌで連通されていると共に、第１のストレージタンク２２と第２のストレージタンク２３は、第２の供給ライン２２Ｌで連通されている。第１供給ライン２１Ｌおよび第２供給ライン２２Ｌには、それぞれポンプ２１Ｐ、２２Ｐが設けられている。
【００２１】
第１ストレージタンク２２と第２ストレージタンク２３は、断熱構造となった耐油性のタンク本体に、レベルセンサーとサーミスタとシーズヒーターとを備えた構造となっている。レベルセンサーは、タンク本体内に溜められた燃料の油量を検出するものであり、検出された油量は、随時制御部３０に入力される。サーミスタは、タンク本体内に溜められた燃料の温度を検出するものであり、検出された油温は、同じく随時制御部３０に入力される。シーズヒーターは、商用電源によってタンク本体内に溜められた燃料を制御部３０で設定された温度となるように加熱する。
【００２２】
第２ストレージタンク２３には、第３供給ライン２３Ｌが接続されている。この第３供給ライン２３Ｌは、前述した発電機１０の給油口１１に接続されていると共に、出口１２と第２ストレージタンク２３間は戻りライン２３Ｂによって接続されている。
【００２３】
この第３供給ライン２３Ｌと戻りライン２３Ｂおよび前記第１供給ライン２１Ｌと第２供給ライン２２Ｌは、それぞれＳＰＧ管（配管用炭素鋼管）のような耐熱・耐油性の配管に、商用電源で作動する配管ヒータとサーモスタットを設け、その外側を保温ラッキングで覆った断熱構造となっている。なお、ＳＰＧ管は酸化した燃料には適さないので、酸化の可能性が高い燃料の場合はＳＵＳ３０４、ＳＵＳ３１６などのステンレス管を用いることが望ましい。
【００２４】
第２供給ライン２２Ｌには、ポンプ２２Ｐと共に燃料フィルターＦが設けられている。この燃料フィルターＦは、第２供給ライン２２Ｌ内を流れる燃料を濾過して、燃料内に混入、発生した異物や水分を取り除くと共に、燃料中の数μｍを超える繊維屑などを濾過して除去するようになっている。また、この燃料フィルターＦは、原料タンク２１への給油の際に混入する微小なごみや、原料タンク２１から剥がれ落ちる塗料片、第１供給ライン２１Ｌや第２供給ライン２２Ｌで発生した錆などの異物も同時に除去する。
【００２５】
原料タンク２１には、酸化防止剤添加部２４が設けられており、内部に溜められた燃料に所定量の酸化防止剤を添加して燃料の酸化を防止するようになっている。この酸化防止剤としては特に限定されるものでなく、通常のバイオディーゼル燃料に適用されているもの、例えば、ブチル・ハイドロオキシル・トルエン（ＢＨＴ）、ターシャルブチル・ハイドロキノン（ＴＢＨＱ）、その他ＢＨＡ、ＰＧなどの化学合成されたビタミンＥ類似化合物などを使用することができる。
【００２６】
図２は、本発明のバイオディーゼル発電装置１００の燃料として用いるパーム脂肪酸留出物（ＰＦＡＤ）の生成過程を示したものである。一般に、アブラヤシの果房（Fresh palm fruit bunch）には直径数ｃｍの小粒の果実が数百個ついており、先ず、これを飽和水蒸気で約１時間程度蒸して果房を機械で叩き、果房から果実(Fruit)を剥離する。果実がとられた殻果房（茎の部分：Empty bunches）は、ボイラーの燃料などとして焼却処分される。
【００２７】
次に、剥離した果実を蒸気で約１００℃程度まで加熱しながら攪拌してどろどろの液体にした後、スクリューで圧力をかけて油を搾る（圧搾）。この処理で果実は粗製パーム油（ＣＰＯ：Crude palm oil）と繊維とに分かれる。この繊維と実（種）のかたまりはケーキ（Cake）と呼ばれる。その後、この圧搾工程で搾り取られた粗製ＣＰＯに水を加えて粘度を低くしてから加熱・静置した後、遠心分離器にかけて水分や余分な成分（スラッジ）を除去して乾燥する。この精製工程によって精製された精製パーム油（精製ＣＰＯ：Pure palm oil）がオレオケミカルズとしてパーム油精製工場に送られる。
【００２８】
また、この精製工程で発生した余分な成分（スラッジ）は、所定の作業現場の所定の位置に暫く放置されることになるが、このときに、スラッジ中から油分が分離する。これが本発明で用いる第１のパーム脂肪酸留出物（ＰＦＡＤ−１：Palm fatty acid distillate）である。
【００２９】
一方、繊維と実（種）のかたまりであるケーキは、その後、実（Nut）と繊維（Fiber）に分離され、実はさらにミキサで粉砕されて核（Kernel）と皮（Shell）に分かれ、皮（Shell）と繊維（Fiber）は、殻果房と同様にボイラーの燃料などとして焼却処分される。その後、核（Kernel）を圧搾（加圧）して粗製ＫＰＯ（Crude palm kernel oil）と食用パーム核（Palm kernrl meal）に分離し、粗製ＫＰＯを遠心分離器にかけて水分や余分な成分（スラッジ）を除去して乾燥する。この精製工程によって精製された精製パーム油（精製ＣＰＯ：Pure palm oil）は、精製ＣＰＯと同様にオレオケミカルズとしてパーム油精製工場に送られる。
【００３０】
このＫＰＯ精製工程で発生した余分な成分（スラッジ）は、所定の作業現場の所定の位置に暫く放置されることになるが、このときに、スラッジ中から油分が分離し、これが本発明で用いる第２のパーム脂肪酸留出物（ＰＦＡＤ−２：Palm fatty acid distillate）となる。
【００３１】
そして、本発明では、この粗製ＫＰＯの精製工程で発生する第２のパーム脂肪酸留出物はもちろん、前記粗製ＣＰＯの精製工程で発生する第１のパーム脂肪酸留出物のいずれも用いることができる。なお、これらのパーム脂肪酸留出物（ＰＦＡＤ）は、主成分である脂肪酸を８０〜９０％程度、グリセリドを７〜１５％程度含有する混合物であって、脂肪酸として、炭素数１６〜１８の飽和又は不飽和脂肪酸を９０％以上含んでいる。また、ＰＦＡＤの酸価は、１８０〜２００ｍｇＫＯＨ／ｇ程度である。また、脂肪酸としては、精製ＣＰＯや精製ＫＰＯと同様に、ラウリン酸やミリスチン酸、パルミチン酸、ステアリン酸、オレイン酸、リノール酸のほか、アラギジン酸、ガドレイン酸などの多くの脂肪酸を含む組成となっている。
【００３２】
図３は、このパーム脂肪酸留出物（ＰＦＡＤ）の動粘度（mm２／ｓ）と温度（℃）との関係を示したものである。燃料温度が常温のときには、どろっとした液体であり、高い動粘度を示しているが、その後加熱して温度を高くすることで急激に動粘度が下がる。そして、６０〜７０℃では、Ｂ１００（通常の植物油脂から得られた１００％バイオディーゼル燃料）の常温のときとほぼ同様の動粘度まで下がる性状をしている。従って、このパーム脂肪酸留出物（ＰＦＡＤ）は常温ではディーゼルエンジンの燃料として用いることは難しいが、その温度を７０℃以上に保持すれば、Ｂ１００と同様の動粘度となり、ディーゼルエンジンの燃料として用いることが十分可能であることが分かる。
【００３３】
次に、このパーム脂肪酸留出物（ＰＦＡＤ）を燃料として用いた場合の本発明のバイオディーゼル発電装置１００の作用を説明する。図１に示すように原料タンク２１に給油された常温（１５〜２０℃）のＰＦＡＤは、ポンプ２１Ｐによって原料タンク２１から抜き出され、第１供給ライン２１Ｌを通って第１ストレージタンク２２に送られる。このとき、第１供給ライン２１Ｌを構成するＳＧＰ管は、断熱構造となっていると共に配管ヒータによって加熱されていることから、抜き出されたＰＦＡＤは、これを通過する際に加熱されてその温度が３０〜５０℃に上昇する。なお、原料タンク２１にＰＦＡＤを給油した際には、ＰＦＡＤの酸化（劣化）を防止するために、酸化防止剤添加部２４から適量の酸化防止剤を添加することが望ましい。そうすればＰＦＡＤ中の遊離脂肪酸の酸化を防止してエンジンを腐食からまもることができる。
【００３４】
次に、この第１供給ライン２１Ｌを通過して第１ストレージタンク２２に送られたＰＦＡＤは、第１ストレージタンク２２内のシーズヒーターによってさらに加熱されて６０〜８０℃に上昇した後、ポンプ２２Ｐによって第１ストレージタンク２１から抜き出され、第２供給ライン２２Ｌを通って第２ストレージタンク２３に送られる。そして、このときＰＦＡＤは第２供給ライン２２Ｌに設けられた燃料フィルターＦを通過することによって水分や異物、数μｍ以上の大きな繊維屑などが除去される。
【００３５】
その後、第２ストレージタンク２３に送られたＰＦＡＤは、第２供給ライン２２Ｌに設けられた配管ヒーターや第２ストレージタンク２３内に設けられたシーズヒーターによって加熱されることで６０〜８０℃の温度を保たれる。これによって、その動粘度を１５．０mm２／ｓ以下に維持した状態で発電機１０に送られてディーゼルエンジンの燃料として用いられることになる。
【００３６】
ここで、ＰＦＡＤの動粘度を１５．０mm２／ｓとしたのは、これ以上であると、ディーゼルエンジンの燃料管や噴射ノズルなどに付着してその動作を不安定にしてしまうおそれがあるためである。従って、その動粘度は１５．０mm２／ｓであれば、Ｂ１００や軽油と近づくように低ければ低い方がより望ましい。なお、この燃料供給部２０におけるＰＦＡＤの温度調節や各ストレージタンク２２，２３の油量調節、ポンプ２１Ｐ、２２Ｐなどの制御は、レベルセンサーやサーミスタなどの各センサーからの入力値に基づいて制御部３０によって自動的に行われる。
【００３７】
すなわち、ポンプ２１Ｐは、レベルセンサーで検出された第１ストレージタンク２２内の燃料の量（液面）がローレベルになったときに作動し、ハイレベルになると停止する。一方、ポンプ２２Ｐも同様に、レベルセンサーで検出された第２ストレージタンク２３内の燃料の量（液面）がローレベルになったときに作動し、ハイレベルになると停止するように自動制御されている。
【００３８】
また、第１ストレージタンク２２および第２ストレージタンク２３の容量はディーゼルエンジンの燃料消費量に応じた最適なものが選択される。すなわち、第１ストレージタンク２２および第２ストレージタンク２３の容量が大きすぎると、燃料を所定温度まで加熱するために時間がかかったり加熱するための電源が無駄になり、反対に少な過ぎると燃料が不足したり、十分に加熱しない状態で供給しなければならなくなるからである。
【００３９】
そして、本発明者は実際に図１に示すような構成をした実験装置を製造し、ＰＦＡＤを燃料として用いたところ、Ｂ１００を用いた場合と同様に発電機１０にＰＦＡＤがスムーズに供給され、２４時間を超える長時間に亘る運転でも発電機１０のディーゼルエンジンが安定して作動して高効率な発電が行われた。
【００４０】
このように本発明は、燃料供給部２０に、ＰＦＡＤを所定温度に加熱制御する手段と、水分や異物を除去する燃料フィルターＦを備え、その動粘度を１５．０mm２／ｓ以下の維持して発電機１０側に供給するようにしたことから、パーム油を精製する過程で発生する高粘性のパーム脂肪酸留出物（ＰＦＡＤ）を特別な処理を行うことなく、そのままバイオディーゼル燃料として用いることができる。
【００４１】
さらに、図１に示すように、発電機１の燃焼ガスを排気路Ｈと原料タンク２１内にそれぞれ第１の熱交換器２６および第２の熱交換器２５を設け、これらを熱媒体が循環する循環ラインＬ５で接続すると共に循環ポンプ２７を設けて循環させるようにしても良い。このようにすれば、パーム脂肪酸留出物（ＰＦＡＤ）を燃焼させて発生した排熱を回収して原料タンク２１内のＰＦＡＤを昇温できるため、エンジン排熱の有効利用とＰＦＡＤを加熱するための熱エネルギーを節約できる。また、予め原料タンク２１内に電気ヒータ２８を設けておき、原料タンク２１内のＰＦＡＤを常温以上の加熱しておくようにしても良い。この場合には、原料タンク２１を断熱材２１Ａで覆い、その内側に熱交換器２５を設置するようことが望ましい。
【００４２】
また、図４に示すように、原料タンク２１にガス注入部２９を設け、窒素などの不活性ガスを注入してタンク内の空気と置換するようにすれば、原料タンク２１内でのＰＦＡＤの酸化をより確実に防止することができる。さらに、原料タンク２１の給油ライン２９Ｌに複数のバグフィルターＢＦ、ＢＦ、ＢＦ（図の例は３つ）とポンプ２９Ｐを設け、給油前の原料（ＰＦＡＤ）をバグフィルターＢＦ、ＢＦ、ＢＦで予め強制的に濾過してから原料タンク２１内に給油するようにしても良い。すなわち、絞り粕であるＰＦＡＤには、繊維などの固形不純物が多く含まれているため、これをそのまま原料タンク２１内に給油すると、第２供給ライン２２Ｌの燃料フィルターＦがすぐに詰まって頻繁に交換しなければならなくなる。
【００４３】
しかし、図４に示すような構成とすれば、ＰＦＡＤに含まれている繊維などの固形不純物の大部分がバグフィルターＢＦ、ＢＦ、ＢＦで予め除去されるため、燃料フィルターＦの交換頻度を低く抑えることができる。さらに、図に示すように並列に設けられた各バグフィルターＢＦ、ＢＦ、ＢＦの入口側にバルブＶ１〜Ｖ３を設け、順に切り換えて使用するようにすれば、給油前のＰＦＡＤに多量の固形不純物が含まれていていずれかのバグフィルターＢＦ、ＢＦ、ＢＦが目詰まりを起こしても作業を中断することなく、連続給油が可能となる。
【符号の説明】
【００４４】
１００…バイオディーゼル発電装置
１０…発電機
１１…給油口
１２…出口
２０…燃料供給部
２１…原料タンク
２１Ｐ、２２Ｐ、２９Ｐ…ポンプ
２１Ｌ…第１供給ライン
２２…第１のストレージタンク
２２Ｌ…第２供給ライン
２３…第２のストレージタンク
２３Ｌ…第３供給ライン
２４…酸化防止剤添加部
２５，２６…熱交換器
２９…ガス注入部
２９Ｌ…給油ライン
３０…制御部
Ｆ…燃料フィルター
Ｈ…排ガス路
Ｖ１〜Ｖ３…バルブ
ＢＦ…バグフィルター
【図１】
2016169616.tif 000003
【図２】
2016169616.tif 000004
【図３】
2016169616.tif 000005
【図４】
2016169616.tif 000006